(57)【要約】【課題】検眼装置によらず、検眼中の被検眼を被検者に対する任意の方向から観察することができる検眼装置を提供する。【解決手段】複数の光学素子２２を被検眼２の眼前に選択的に配置することで被検眼２の視機能を矯正可能とする検眼ユニット２０を備えた検眼装置１０において、検眼ユニット２０は、角膜視準系の光軸Ｂを前方に反射し、角膜頂点位置を被検眼２に対向する方向から観察可能に構成されると共に、光軸Ｂを偏向する偏向ユニット３０が着脱可能に取り付けられる。そして、検眼ユニット２０に偏向ユニット３０を取り付けたとき、角膜頂点位置を被検眼２に対向する方向以外の方向から観察可能とする。【選択図】図１Ａ
2020048788.tif 000002
【特許請求の範囲】
【請求項１】
複数の光学素子を被検眼の眼前に選択的に配置することで前記被検眼の視機能を矯正可能とする検眼ユニットを備えた検眼装置において、
前記検眼ユニットは、前記被検眼の角膜からの光束を前方に反射し、装置基準位置に対する前記被検眼の位置を前記被検眼に対向する方向から観察可能に構成されると共に、前記光束を偏向する光束偏向部材が着脱可能に取り付けられ、
前記検眼ユニットに前記光束偏向部材を取り付けたとき、前記装置基準位置に対する前記被検眼の位置を、前記被検眼に対向する方向以外の方向から観察可能とする
ことを特徴とする検眼装置。
【請求項２】
前記光束偏向部材は、前記光束の偏向方向を変更可能に前記検眼ユニットに取り付けられる
ことを特徴とする請求項１に記載された検眼装置。
【請求項３】
前記光束偏向部材は、前記光束を複数回偏向して前記被検者の背後に向けて反射する
ことを特徴とする請求項１又は請求項２に記載された検眼装置。
【請求項４】
前記被検眼と前記装置基準位置との位置は、前記被検眼の角膜頂点と前記装置基準位置との前後方向の位置である
ことを特徴とする請求項１から請求項３のいずれか一項に記載された検眼装置。
【請求項５】
前記被検眼と前記装置基準位置との位置は、前記被検眼の角膜頂点と前記装置基準位置との対向方向に直交する平面内の位置である
ことを特徴とする請求項１から請求項３のいずれか一項に記載された検眼装置。
【請求項６】
前記光束偏向部材は、特定波長の光を反射し、その他の波長の光を透過する
ことを特徴とする請求項１から請求項５のいずれか一項に記載された検眼装置。
【発明の詳細な説明】
【技術分野】
【０００１】
本発明は、検眼装置に関するものである。
【背景技術】
【０００２】
被検者に視標を呈示し、その見え方に関する被検者からの応答に基づいて被検眼の視機能を検査する自覚式検査を行う際、複数の光学素子を被検眼の眼前に選択的に配置することで被検眼の視機能を矯正可能な検眼装置が知られている。ここで、検眼装置は、視標呈示装置と被検眼との間に配置されるが、一般的に被検眼と検眼装置の位置関係の調整は検眼装置の前方、すなわち被検眼と対向する方向から観察して行われる。しかし、省スペースタイプの検眼装置のように、検眼装置が視標呈示装置に近接している場合、例えば、被検眼の角膜頂点からレンズ装用基準位置までの距離（以下「角膜頂点位置」という）を被検者の正面から観察することが困難になる。そこで、正面以外の方向から角膜頂点位置を観察するため、角膜頂点位置を確認する角膜視準系に導光部を設け、被検者の側方からの観察を可能にする検眼装置が知られている（例えば、特許文献１参照）。また、角膜視準系にカメラを取り付け、カメラで撮影した画像データをモニタに表示することで角膜頂点位置を観察可能にした検眼装置も知られている（例えば、特許文献２参照）。
【先行技術文献】
【特許文献】
【０００３】
【特許文献１】特開２０１８−０８９０７８号公報
【特許文献２】特開２００６−１８７４３０号公報
【発明の概要】
【発明が解決しようとする課題】
【０００４】
ところで、特許文献１に記載の検眼装置は、視標呈示装置に取り付けられて一体となっている。しかしながら、検眼装置と視標呈示装置とは別体であることが一般的である。この場合、視標呈示装置のタイプや設定に応じて検眼装置との距離が異なるため、必ずしも近接させる必要はない。
【０００５】
すなわち、検眼装置と視標呈示装置とが別体の場合において、特許文献１に記載の検眼装置のように被検者の側方から角膜頂点位置を観察する構造にしてしまうと、検眼装置と視標呈示装置とを離間させて配置する場合であっても、被検者の正面から角膜頂点位置を観察できず不便になる。しかしながら、被検者の正面からでしか角膜頂点位置を観察することができない構造であると、検眼装置と視標呈示装置とを近接配置した場合に角膜頂点位置を観察することができず、精度の高い検眼ができない。
【０００６】
さらに、特許文献２に記載の検眼装置のように、カメラで撮影した画像データをモニタに表示する場合では、カメラとモニタ及びこれらを制御するためのソフトウェアが必要になる。そのため、構造が複雑化する上、現在使用している検眼装置をそのまま流用することができない。
【０００７】
本発明は、上記問題に着目してなされたもので、検眼装置によらず、検眼中の被検眼を被検者に対する任意の方向から観察することができる検眼装置を提供することを目的とする。
【課題を解決するための手段】
【０００８】
上記目的を達成するため、本発明の検眼装置は、複数の光学素子を被検眼の眼前に選択的に配置することで被検眼の視機能を矯正可能とする検眼ユニットを備えている。
検眼ユニットは、被検眼の角膜からの光束を前方に反射し、装置基準位置に対する被検眼の位置を被検眼に対向する方向から観察可能に構成されると共に、この被検眼の角膜からの光束を偏向する光束偏向部材が着脱可能に取り付けられている。そして、検眼ユニットに光束偏向部材を取り付けたとき、装置基準位置に対する被検眼の位置を、被検眼に対向する方向以外の方向から観察可能とする。
【発明の効果】
【０００９】
このように構成された検眼装置では、検眼ユニットにおいて、被検眼の角膜からの光束をこの検眼ユニットの前方に反射する。ここで、検眼ユニットに光束偏向部材を取り付けた場合、光束偏向部材によって角膜からの光束が偏向される。そのため、この光束偏向部材を介して被検眼を観察することで、被検者の側方等の被検眼に対向する方向以外の方向から被検眼を観察することができる。一方、光束偏向部材を検眼ユニットから取り外した場合には、従来通り、被検者の正面から被検眼を観察できる。よって、測定者は、被検眼の検眼ユニットに対する位置を被検者に対する任意の方向から確認することができる。
【図面の簡単な説明】
【００１０】
【図１Ａ】実施例１の検眼装置の全体構成を示す斜視図である。
【図１Ｂ】図１Ａの要部を拡大して示す斜視図である。
【図２】実施例１の検眼装置の検眼ユニット及び偏向ユニットを示す断面図である。
【図３】角膜位置確認機構における縦線目盛と三角目盛と被検眼とを説明する説明図である。
【図４】実施例１の検眼装置において、偏向ユニットを取り外したときの検眼ユニットを示す断面図である。
【図５】実施例１の検眼装置において、第１観察窓に対して第２ユニット窓が臨む方向を変更して取り付けた説明図であり、（ａ）は第１観察窓に対して水平方向に臨む状態を示し、（ｂ）は第１観察窓に対して斜め上方に臨む状態を示す。
【図６】実施例１の検眼装置において、左右の被検眼に対応する偏向ユニットの第２ユニット窓が臨む方向を被検者の一方の側方に向けて設定した状態を示す説明図である。
【図７】実施例１の検眼装置において、偏向部材の反射角度を変更したときの説明図であり、（ａ）は斜め背後に反射させた状態を示し、（ｂ）は斜め前方に反射させた状態を示す。
【図８】実施例１の検眼装置の第１変形例を示す断面図である。
【図９】実施例１の検眼装置の第２変形例を示す断面図である。
【発明を実施するための形態】
【００１１】
以下、本発明の検眼装置を実施するための形態を、図面に示す実施例１に基づいて説明する。
【００１２】
（実施例１）
実施例１の検眼装置１０の構成を、図１Ａ〜図３に基づいて説明する。
【００１３】
図１Ａに示す検眼装置１０は、被検者１に各種の視標を呈示し、呈示された視標を視認した被検者１の応答を得て行う自覚検査を実行する際、屈折力の異なる複数の光学素子２２を被検眼２（図２参照）の眼前に選択的に配置することで、被検眼２の視機能の矯正を可能とするものである。
【００１４】
実施例１の検眼装置１０は、図１Ａに示すように、検眼ユニット２０と、偏向ユニット３０と、コントロールユニット４０と、を備えている。
【００１５】
検眼ユニット２０は、被検者１の左右方向に並んで一対配置され、図示しない視標呈示装置と被検者１との間に配置された検眼テーブル１１から起立する支柱１２に、アーム１３を介して吊り下げ支持されている。
【００１６】
アーム１３は、コントロールユニット４０から入力される駆動指令に基づいて駆動する駆動部１３ａを有している。アーム１３は、この駆動部１３ａによって、支柱１２を中心に回動すると共に、支柱１２に沿って上下方向に移動する。なお、アーム１３を回動又は上下動させるための駆動部１３ａは、モータやソレノイド等を用いた駆動源を有する。駆動部１３ａの機構としては、周知の構成が用いられる。さらに、アーム１３の回動や上下動は、手動によって行うようにしてもよい。
【００１７】
検眼ユニット２０は、図２に示すように、中空のハウジング２１と、複数の光学素子２２と、角膜位置確認機構２３と、を有している。なお、図２には、一方（被検者１から見て左側）の検眼ユニット２０を示す。
【００１８】
ハウジング２１は、図示しない視標呈示装置に臨む第１側面２１ａに、この第１側面２１ａを貫通する第１検眼窓２４ａ及び第１観察窓２５ａが設けられている。第１検眼窓２４ａは、図１Ａに示すような円形の開口であり、被検眼２は、第１検眼窓２４ａを介して検眼ユニット２０の前方に呈示される視標を視認する。また、第１観察窓２５ａは、図１Ｂに示すような円形の開口であり、測定者（不図示）が被検者１の正面から被検眼２の角膜頂点２ａの位置を確認するための窓部である。ここで、第１検眼窓２４ａと第１観察窓２５ａは、互いの光軸高さが一致する位置に設けられ、水平方向に並んでいる。なお、第１検眼窓２４ａ及び第１観察窓２５ａには、それぞれ透明なカバーが嵌め込まれている。
【００１９】
また、ハウジング２１は、被検者１に臨む第２側面２１ｂに、この第２側面２１ｂを貫通する第２検眼窓２４ｂと、被検眼２の側方に突出した突出面２１ｃが形成されている。突出面２１ｃには、この突出面２１ｃを貫通する第２観察窓２５ｂが設けられている。第２検眼窓２４ｂは、被検者１が視標を視認するための窓部であり、この第２検眼窓２４ｂは、第１検眼窓２４ａに正対する位置に設けられている。すなわち、被検者１は、第２検眼窓２４ｂ及び第１検眼窓２４ａを介して視標呈示装置を視認することになる。また、第２観察窓２５ｂに隣接する位置には、被検眼２を照明するための光源２５ｃが設けられている。光源２５ｃは、ＬＥＤ（Ｌｉｇｈｔ  Ｅｍｉｔｔｉｎｇ  Ｄｉｏｄｅ）等が用いられる。なお、第２検眼窓２４ｂ及び第２観察窓２５ｂには、透明なカバーが嵌め込まれている。
【００２０】
複数の光学素子２２は、球面レンズ、円柱レンズ、プリズム等であり、ハウジング２１に収納されている。この複数の光学素子２２は、ハウジング２１内に回転可能に設けられた円盤状のレンズディスク２２ａに取り付けられ、レンズディスク２２ａの周方向に沿って並んでいる。そして、複数の光学素子２２は、レンズディスク２２ａが駆動部２２ｂによって回転することで、周方向に並んだうちの一つが第１、第２検眼窓２４ａ、２４ｂの間に位置する。これにより、検眼ユニット２０では、複数の光学素子２２が被検眼２の眼前に選択的に配置され、被検眼２の視機能を矯正可能とする。なお、レンズディスク２２ａを回転させる駆動部２２ｂは、モータやソレノイド等を用いた駆動源を有し、この駆動源は、コントロールユニット４０を介して入力したプリズム度数や球面度数等を設定するための設定指令に基づいて駆動する。また、駆動部２２ｂの機構としては、周知の構成が用いられる。
【００２１】
角膜位置確認機構２３は、被検眼２の角膜頂点２ａから検眼ユニット２０の基準位置（装置基準位置）までの距離（以下「角膜頂点位置」という）を確認するために用いる機構であり、ハウジング２１に収納されている。この角膜位置確認機構２３は、第１スケール２３ａと、反射ミラー２３ｂ（光学部材）と、第２スケール２３ｃと、を有し、角膜頂点位置を被検眼２に対向する方向から観察可能に構成されている。ここで、「角膜頂点位置」は、装置基準位置に対する被検眼２の位置であり、被検眼２の角膜頂点２ａと装置基準位置との前後方向の位置を意味する。なお、「装置基準位置」は任意に設定することができる。
【００２２】
第１スケール２３ａは、位置合わせ用の基準線を含む複数の縦線目盛２６ａ〜２６ｃ（図３参照）が描画された透明な板材である。なお、縦線目盛２６ａ〜２６ｃは、順に眼鏡処方時の頂点間距離ＶＤ＝１２ｍｍ、１３．７５ｍｍ、１６ｍｍに対応している。また、基準線となる縦線目盛２６ｂは破線で示されている。この第１スケール２３ａは、角膜視準系の光軸Ｂ上に配置されている。
【００２３】
反射ミラー２３ｂは、角膜視準系の光軸Ｂ上にあって、光軸Ｂをハウジング２１の第２側面２１ｂに向けて偏向する。つまり、検眼ユニット２０では、この反射ミラー２３ｂによって、被検眼２の角膜からの光束を検眼ユニット２０の前方に反射する。
【００２４】
第２スケール２３ｃは、先端２７ａが上下方向に対向した一対の三角目盛２７、２７（図３参照）が描画された透明な板材である。この第２スケール２３ｃは、反射ミラー２３ｂによって偏向された光軸Ｂ上に配置される。
【００２５】
偏向ユニット３０（光束偏向部材）は、第１観察窓２５ａを透過した後の光軸Ｂ（角膜からの光束）を任意の方向に反射して偏向するものであり、検眼ユニット２０のハウジング２１に着脱可能に取り付けられる。この偏向ユニット３０は、立方体形状の中空筐体であるユニットケース３１と、第１ユニット窓３２と、偏向部材３３と、第２ユニット窓３４と、取付手段３５と、を有している。
【００２６】
第１ユニット窓３２は、ユニットケース３１に設けられた円形の開口（図１Ｂ参照）であり、ユニットケース３１の側面の一つを貫通している。この第１ユニット窓３２は、第１観察窓２５ａに対向して取り付けられている。なお、第１ユニット窓３２には、透明なカバーが嵌め込まれている。
【００２７】
偏向部材３３は、ユニットケース３１に収納された鏡である。この偏向部材３３は、第１ユニット窓３２を介して光軸Ｂ上に配置され、反射により光軸Ｂを任意の方向に偏向する。また、偏向部材３３は、ユニットケース３１内に設けられたあおり機構３６によって保持されている。あおり機構３６は、偏向部材３３を反射面３３ａによる反射角度を変更可能に保持する保持部３６ａと、保持部３６ａに角度指令を出力する角度制御部３６ｂと、を有する。ここで、角度制御部３６ｂは、コントロールユニット４０から入力された指示に基づいて保持部３６ａに対して角度指令を出力する。
【００２８】
第２ユニット窓３４は、ユニットケース３１に設けられた円形の開口（図１Ｂ参照）であり、ユニットケース３１の側面のうち、第１ユニット窓３２が設けられた側面に直交する側面を貫通している。この第２ユニット窓３４は、偏向部材３３により偏向した光軸Ｂ上に配置されて観察光を透過させる。なお、第２ユニット窓３４には、透明なカバーが嵌め込まれている。
【００２９】
取付手段３５は、ハウジング２１とユニットケース３１の間に設けられ、第１ユニット窓３２を第１観察窓２５ａに対向させた状態で、ユニットケース３１をハウジング２１に着脱可能に取り付けるものである。ここでは、ハウジング２１に設けられた磁性体部材３５ａと、ユニットケース３１に設けられたマグネット板３５ｂと、を有している。
【００３０】
ここで、ハウジング２１が磁性体によって形成されている場合には、磁性体部材３５ａは省略可能であるが、樹脂等の被磁性体によって形成されている場合は、接着剤等を用いて磁性体部材３５ａを取り付ける。また、磁性体部材３５ａは、第１観察窓２５ａの周囲を取り囲むリング形状を呈している。これにより、取付手段３５は、第２ユニット窓３４が臨む方向を変更可能にハウジング２１に対してユニットケース３１を取り付け可能とする。
【００３１】
コントロールユニット４０は、測定者（不図示）による操作を受け付け、この操作に応じた指令（制御信号）を駆動部１３ａや、駆動部２２ｂ、あおり機構３６の角度制御部３６ｂへ適宜出力することで、検眼装置１０を操作する。ここで、コントロールユニット４０と駆動部１３ａ、駆動部２２ｂ、角度制御部３６ｂとは、それぞれ一般的な通信インターフェースによって、通信可能に接続されている。コントロールユニット４０は、この通信インターフェースを介して各種の指令を出力する。なお、一般的な通信インターフェースは、有線であってもよいし、無線ＬＡＮ、ブルートゥース（登録商標）等の無線であってもよい。
【００３２】
コントロールユニット４０は、検眼装置１０の全体の動作を統括的に制御するメイン制御部４１と、測定者によって操作される操作部４２と、メイン制御部４１から出力された各種の情報を表示するモニタ４３と、を備えている（図１Ａ参照）。ここで、コントロールユニット４０は、操作部４２やモニタ４３を備えたノート型パーソナルコンピュータによって構成され、検眼テーブル１１に載置される。なお、コントロールユニット４０は、ノート型パーソナルコンピュータに限定されるものではなく、タブレット型端末、スマートフォン等の携帯端末（情報処理装置）で構成することもできるし、検眼専用のコントローラであってもよい。
【００３３】
操作部４２は、例えばキーボードやマウス、各種のスイッチやボタン、ダイアル、トラックボール等を有する操作パネル等から構成される。測定者によって操作部４２が操作されことで、アーム１３の回転角度や高さの設定指令、検眼ユニット２０におけるプリズム度数、球面度数、円柱度数、軸角度、瞳孔間距離、加入度等の設定指令、偏向ユニット３０における偏向部材３３の角度指令等が、メイン制御部４１に入力される。
【００３４】
モニタ４３は、液晶ディスプレイや有機ＥＬディスプレイ等の電子表示デバイス等により構成され、測定者から視認可能となっている。このモニタ４３には、検眼パラメータや、検査情報、検査結果等の情報が表示される。
【００３５】
メイン制御部４１は、ＣＰＵ（Ｃｅｎｔｒａｌ  Ｐｒｏｃｅｓｓｉｎｇ  Ｕｎｉｔ）と、ＲＡＭ、ＲＯＭ、ハードディスク等の記憶部と、を有して構成される。このメイン制御部４１には、操作部４２を介して各種の指令が入力される。そして、このメイン制御部４１は、操作部４２を介して入力された各種の指令に基づいて、検眼装置１０の各部の動作を統括的に制御する。
【００３６】
すなわち、メイン制御部４１は、アーム１３を駆動する駆動部１３ａに駆動指令を出力し、アーム１３の位置を制御する。これにより、被検者１に対する検眼ユニット２０の位置が調節される。また、メイン制御部４１は、検眼ユニット２０のレンズディスク２２ａを回転制御する駆動部２２ｂに設定指令を出力し、レンズディスク２２ａの回転角度を制御する。これにより、第１、第２検眼窓２４ａ、２４ｂの間に配置される光学素子２２が切り替えられ、レンズ度数等が変更される。
【００３７】
さらに、メイン制御部４１では、操作部４２を介して指示された偏向部材３３の角度指令に基づいて角度制御部３６ｂに角度指令を出力する。これにより、保持部３６ａは、角度制御部３６ｂからの指令に基づいて角膜視準系の光軸Ｂに対する偏向部材３３の反射面３３ａの反射角度を制御する。
【００３８】
以下、実施例１の検眼装置１０の作用効果を説明する。
【００３９】
実施例１の検眼装置１０において、角膜位置確認機構２３を使用して角膜頂点位置を調節するには、測定者は、第１観察窓２５ａから角膜視準系を観察する。角膜視準系内には、第１観察窓２５ａ越しに第２スケール２３ｃの三角目盛２７と、第１スケール２３ａの基準線となる縦線目盛２６ｂ、被検眼２の角膜頂点２ａが観察される。ここで、測定者は第２スケール２３ｃの三角目盛２７との先端２７ａと、第１スケール２３ａの基準線となる縦線目盛２６ｂとが重なって見える位置へ測定者眼３を移動する。この状態のとき、測定者眼３の視線は角膜視準系の光軸Ｂと一致する。そして、検眼ユニット２０に設けられた額当て２８の位置を変更して被検者１の顔を前後させ、被検眼２の角膜頂点２ａを第１スケール２３ａのいずれかの縦線目盛２６ａ〜２６ｃに合わせることで、角膜頂点位置を眼鏡の処方状態に一致させることができる。例えば、角膜頂点２ａを縦線目盛２６ａに合わせると、眼鏡処方として頂点間距離ＶＤは１２ｍｍの状態に一致する。
【００４０】
すなわち、角膜頂点位置を確認する際、測定者は第１観察窓２５ａから被検眼２を視認する必要がある。
【００４１】
これに対し、図示しない視標呈示装置と検眼ユニット２０が近接して配置され、測定者が検眼ユニット２０の正面から観察が困難である場合には、図２に示すように、検眼ユニット２０のハウジング２１に偏向ユニット３０を取り付ける。このとき、磁性体部材３５ａとマグネット板３５ｂを介して、第１観察窓２５ａと第１ユニット窓３２とが対向した状態で、ハウジング２１に対して偏向ユニット３０が取り付けられる。
【００４２】
ハウジング２１に偏向ユニット３０を取り付けると、第１観察窓２５ａを透過した角膜視準系の光軸Ｂは、第１観察窓２５ａに対向した第１ユニット窓３２からユニットケース３１内に入射する。ユニットケース３１内には偏向部材３３が設けられており、光軸Ｂは、この偏向部材３３に反射し、略反射方向に配置された第２ユニット窓３４より射出する。
【００４３】
このように、第１観察窓２５ａから被検者１の正面側に射出した角膜視準系の光軸Ｂは、被検者１の正面方向に対して略直交する方向へと偏向される。これにより、測定者が偏向ユニット３０の第２ユニット窓３４を覗くことで、偏向ユニット３０による光軸Ｂの偏向方向から被検者１の角膜頂点位置を観察でき、視標呈示装置と検眼ユニット２０が近接して配置された場合であっても、検眼ユニット２０の正面以外の方向から角膜頂点位置の確認をすることができる。
【００４４】
一方、図示しない視標呈示装置と検眼ユニット２０との距離が十分に確保でき、測定者が視標呈示装置と検眼ユニット２０の間に入り込める場合には、図４に示すように、検眼ユニット２０のハウジング２１から偏向ユニット３０を取り外すことができる。これにより、偏向ユニット３０が取り外され、第１観察窓２５ａが露出する。
【００４５】
これにより、測定者が第１観察窓２５ａを直接覗くことで、従来通り、測定者は、被検者１の正面側から被検眼２の角膜頂点位置を確認することができる。
【００４６】
このように、偏向ユニット３０を必要に応じて着脱することで、測定者は角膜頂点位置の確認を、従来の通り被検者１の正面側からもしくは、これ以外の方向から行うことができる。また、偏向ユニット３０は、検眼ユニット２０のハウジング２１に対して後付することができる。そのため、検眼ユニット２０の構造変更を不要とし、現在使用している検眼ユニット２０をそのまま流用することができる。
【００４７】
また、偏向ユニット３０をハウジング２１に着脱可能に取り付ける取付手段３５は、第１観察窓２５ａの周囲を取り囲むリング形状の磁性体部材３５ａと、第１ユニット窓３２の周囲を取り囲むリング形状のマグネット板３５ｂと、を有している。そのため、第１観察窓２５ａの中心と第１ユニット窓３２の中心を一致させたまま、偏向ユニット３０を角膜視準系の光軸Ｂに対して回転させることができる。
【００４８】
そして、偏向ユニット３０を回転させることで、角膜頂点位置の観察方向を変更することができる。つまり、偏向ユニット３０は、光軸Ｂの偏向方向を変更可能に検眼ユニット２０に取り付けられる。これにより、図５（ａ）に示すように、第２ユニット窓３４を水平方向に向けた場合には、第１観察窓２５ａに対して水平となる方向から角膜頂点位置を観察することができる。また、図５（ｂ）に示すように、第２ユニット窓３４を第１観察窓２５ａの斜め上方に向けた場合には、第１観察窓２５ａよりも上方から角膜頂点位置を観察することができる。すなわち、第１観察窓２５ａよりも高い位置からの観察が可能になり、被検者１が座位であって、測定者が立位のときであっても、測定者は無理のない姿勢で角膜頂点位置の確認をすることができる。
【００４９】
さらに、図６に示すように、左被検眼２Ａの眼前の検眼ユニット２０Ａに取り付けられた偏向ユニット３０Ａの第２ユニット窓３４が臨む方向と、右被検眼２Ｂの眼前の検眼ユニット２０Ｂに取り付けられた偏向ユニット３０Ｂの第２ユニット窓３４が臨む方向とを、被検者１の一方の側方（図６では左側）に向けて設定する。この場合では、測定者は、被検者１の一方の側方から左被検眼２Ａの角膜頂点位置と、右被検眼２Ｂの角膜頂点位置をそれぞれ同じ方向から確認することができる。そのため、測定者が被検者１の左右の側方にそれぞれ回り込んで観察する必要がなく、確認を容易に行うことができる。
【００５０】
また、偏向ユニット３０の偏向部材３３は、あおり機構３６によって保持されている。そのため、このあおり機構３６を介して偏向部材３３の反射面３３ａによる反射角度を変更することで、偏向ユニット３０が光軸Ｂの偏向方向を変更可能に検眼ユニット２０に取り付けられることになり、第２ユニット窓３４を透過する角膜視準系の光軸Ｂの反射方向を偏向ユニット３０の真横以外の方向に変更することができる。
【００５１】
つまり、図７（ａ）に示すように、ユニットケース３１への角膜視準系の光軸Ｂの入射方向と、偏向部材３３による光軸Ｂの反射方向とがなす角度θが９０°未満になるように反射角度を変更したときには、偏向ユニット３０の斜め後方から観察することができる。また、図７（ｂ）に示すように、ユニットケース３１への光軸Ｂの入射方向と、偏向部材３３による光軸Ｂの反射方向とがなす角度θが９０°より大きくなるように反射角度を変更したときには、偏向ユニット３０の斜め前方から観察することができる。
【００５２】
これにより、角膜頂点位置の観察方向の設定自由度が増し、さらに適切な角度からの観察を可能とすることができる。また、被検者１が気にならない位置から頂点間距離ＶＤを観察することも可能となる。
【００５３】
以上、本発明の検眼装置を実施例１に基づいて説明してきたが、具体的な構成については、これらの実施例に限定されるものではなく、特許請求の範囲の各請求項に係る発明の要旨を逸脱しない限り、設計の変更や追加等は許容される。
【００５４】
実施例１では、偏向ユニット３０が有する偏向部材３３は一つだけであり、偏向ユニット３０のユニットケース３１に入射した角膜視準系の光軸Ｂを一回だけ反射する例を示した。しかしながら、これに限らない。例えば、図８に示す偏向ユニット５０のように、ユニットケース５１内に二つの偏向部材（第１偏向部材５３ａ、第２偏向部材５３ｂ）を設けてもよい。
【００５５】
この場合、ユニットケース５１に形成された第１ユニット窓５２から入射した角膜視準系の光軸Ｂは、第１偏向部材５３ａに反射して被検者１の側方へ向かう。さらに、この光軸Ｂは、第２偏向部材５３ｂに反射して被検者１の背後に向かう。ここで、第２ユニット窓５４は、ユニットケース５１の側面のうち、第１ユニット窓５２が設けられた側面と同一の側面に設けられている。そのため、この第２ユニット窓５４は、第１ユニット窓５２を介して入射した角膜視準系の光軸Ｂを、入射方向に対して平行にオフセットした方向に透過することができる。なお、取付手段３５については、実施例１の偏向ユニット３０と同一の構成とする。
【００５６】
このように、二つの偏向部材（第１偏向部材５３ａ、第２偏向部材５３ｂ）を用いることで角膜視準系の光軸Ｂを複数回偏向して被検者１の背後に向けて反射することができる。そして、被検者１の背後に向けて角膜視準系の光軸Ｂを反射することで、測定者は、被検者１の背後から角膜頂点位置を観察することが可能になる。よって、測定者は、左右の被検眼における角膜頂点位置を観察する際、被検者１の周りを大きく回り込む必要がなくなり、角膜頂点位置の確認を容易化することができる。なお、この場合、偏向部材の数は二つに限らず、三つ以上を用いてもよい。
【００５７】
また、実施例１では、角膜頂点位置を観察するための第１観察窓２５ａに第１ユニット窓３２を対向させて、偏向ユニット３０をハウジング２１に取り付ける例を示した。しかしながら、これに限らない。図９に示すように、被検者１が視標を視認するための第１検眼窓２４ａに第１ユニット窓３２を対向させた状態で偏向ユニット３０をハウジング２１に取り付けてもよい。この場合では、被検者１の側方から、第１、第２検眼窓２４ａ、２４ｂに対する被検眼２の位置を確認することができる。これにより、視標呈示装置と検眼ユニット２０との距離が少ない場合であっても、左右の被検眼２の双方が第１、第２検眼窓２４ａ、２４ｂの中央に一致するように、一対の検眼ユニット２０の距離を調節することができる。また、この場合には、角膜位置確認機構２３を備えていない検眼ユニット２０であっても、偏向ユニット３０を適用することができる。
【００５８】
また、このとき、偏向部材３３を特定波長の光を反射し、その他の波長の光を透過するハーフミラーや、ダイクロイックミラーによって構成し、ユニットケース３１には、偏向部材３３の反射方向に位置する第２ユニット窓３４と、偏向部材３３の透過方向に位置する第３ユニット窓３７を設けてもよい。この場合には、被検者１は、偏向部材３３を介して視標呈示装置によって呈示された視標を視認することができる。被検者１が視標を視認している状態で、第１、第２検眼窓２４ａ、２４ｂに対する被検眼２の位置を確認することができる。つまり、被検者１に視標を視認させた状態で測定者による第１、第２検眼窓２４ａ、２４ｂに対する被検眼２の位置の確認を行うことができる。なお、第１、第２検眼窓２４ａ、２４ｂに対する被検眼２の位置は、装置基準位置に対する被検眼２の位置であり、被検眼２の角膜頂点２ａと装置基準位置との対向方向に直交する平面内の位置を意味する。
【００５９】
さらに、偏向ユニット３０がハウジング２１に対して着脱自在であることから、偏向部材３３を全反射する鏡によって構成した場合であっても、この偏向ユニット３０を取り外すことで、偏向部材３３が被検眼２による視標の視認を邪魔することがなくなり、被検者１は呈示された視標を視認することができる。
【００６０】
また、実施例１では、測定者が測定者眼３によって角膜視準系の光軸Ｂを直接確認する例を示したが、これに限らず、カメラによって観察するようにしてもよい。この場合、第２ユニット窓３４の外側にカメラのレンズを対向させて固定し、ユニットケース３１にカメラを一体化してもよい。さらに、このとき、偏向部材３３をダイクロイックミラーによって構成し、赤外光で角膜視準系の光軸Ｂを観察するようにすると、光量のロスも軽減することができる。
【００６１】
そして、実施例１では、ユニットケース３１をハウジング２１に対して着脱可能に取り付けるための取付手段３５として、磁性体部材３５ａとマグネット板３５ｂとを有する例を示した。しかしながら、これに限らない。例えば、接着剤や両面テープ、面ファスナによって取付手段３５を構成してもよい。さらに、ハウジング２１に窪み形状を形成し、このハウジング２１側の窪み形状に噛み合う突起形状をユニットケース３１に形成し、これらの形状によって取付手段３５を構成してもよい。
【符号の説明】
【００６２】
１      被検者
２      被検眼
２ａ    角膜頂点
１０    検眼装置
２０    検眼ユニット
２１    ハウジング
２２    光学素子
２３    角膜位置確認機構
２３ａ  第１スケール
２３ｂ  反射ミラー
２３ｃ  第２スケール
２４ａ  第１検眼窓
２４ｂ  第２検眼窓
２５ａ  第１観察窓
２５ｂ  第２観察窓
３０    偏向ユニット（光束偏向部材）
３０Ａ  偏向ユニット（光束偏向部材）
３１    ユニットケース
３２    第１ユニット窓
３３    偏向部材
３３ａ  反射面
３４    第２ユニット窓
３５    取付手段
３５ａ  磁性体部材
３５ｂ  マグネット板
３６    あおり機構
Ｂ      角膜視準系の光軸（被検眼の角膜からの光束）
【図１Ａ】
2020048788.tif 000003
【図１Ｂ】
2020048788.tif 000004
【図２】
2020048788.tif 000005
【図３】
2020048788.tif 000006
【図４】
2020048788.tif 000007
【図５】
2020048788.tif 000008
【図６】
2020048788.tif 000009
【図７】
2020048788.tif 000010
【図８】
2020048788.tif 000011
【図９】
2020048788.tif 000012